(57)【要約】【課題】地図データのメンテナンスの手間を軽減できる地図データ更新システム、地図データ更新方法及びプログラムを提供する。【解決手段】地図データ記憶部２２は、複数の不動産が示されている地図データを記憶する。登記情報取得部２４は、不動産の登記情報を取得する。作成地図データ取得部３０は、登記情報に示されている登記の際に当該登記情報が示す不動産について作成された地図又は図面を示す作成地図データを取得する。地図データ管理部３２は、作成地図データに基づいて、地図データ記憶部２２に記憶されている地図データを更新する。【選択図】図５
2020122993.tif 000002
【特許請求の範囲】
【請求項１】
複数の不動産が示されている地図データを記憶する地図データ記憶手段と、
不動産の登記情報を取得する登記情報取得手段と、
前記登記情報に示されている登記の際に前記登記情報が示す不動産について作成された地図又は図面を示す作成地図データを取得する作成地図データ取得手段と、
前記作成地図データに基づいて、前記地図データ記憶手段に記憶されている前記地図データを更新する地図データ更新手段と、
を含むことを特徴とする地図データ更新システム。
【請求項２】
前記作成地図データ取得手段は、前記登記情報に示されている最新の登記の際に前記登記情報が示す不動産について作成された地図又は図面を示す作成地図データを取得する、
ことを特徴とする請求項１に記載の地図データ更新システム。
【請求項３】
前記作成地図データ取得手段は、前記登記情報に示されている登記の目的が所定の条件を満足する場合に、前記作成地図データを取得する、
ことを特徴とする請求項１に記載の地図データ更新システム。
【請求項４】
前記作成地図データ取得手段は、前記登記情報に示されている最新の登記における登記の目的が所定の条件を満足する場合に、当該最新の登記の際に前記登記情報が示す不動産について作成された地図又は図面を示す作成地図データを取得する、
ことを特徴とする請求項１に記載の地図データ更新システム。
【請求項５】
前記作成地図データ取得手段は、前記登記の目的が分筆である場合に、当該分筆の登記の際に前記登記情報が示す不動産について作成された地積測量図を示す前記作成地図データを取得する、
ことを特徴とする請求項３又は４に記載の地図データ更新システム。
【請求項６】
前記作成地図データ取得手段は、前記登記の目的が国土調査による成果を伴わない地積の錯誤である場合に、当該錯誤の登記の際に前記登記情報が示す不動産について作成された地積測量図を示す前記作成地図データを取得する、
ことを特徴とする請求項３又は４に記載の地図データ更新システム。
【請求項７】
前記作成地図データ取得手段は、前記地積測量図を示す前記作成地図データが存在しない場合に、前記登記情報が示す不動産について作成された最新の地図又は図面を示す前記作成地図データを取得する、
ことを特徴とする請求項５又は６に記載の地図データ更新システム。
【請求項８】
前記地図データ更新手段は、前記登記情報に示されている登記の目的が合筆又は地目変更である場合に、当該登記情報が示す不動産についての前記地図データを更新する、
ことを特徴とする請求項１から７のいずれか一項に記載の地図データ更新システム。
【請求項９】
登記情報取得手段が、不動産の登記情報を取得するステップと、
作成地図データ取得手段が、前記登記情報に示されている登記の際に前記登記情報が示す不動産について作成された地図又は図面を示す作成地図データを取得するステップと、
地図データ更新手段が、前記作成地図データに基づいて、地図データ記憶手段に記憶されている複数の不動産が示されている地図データを更新するステップと、
を含むことを特徴とする地図データ更新方法。
【請求項１０】
不動産の登記情報を取得する手順、
前記登記情報に示されている登記の際に前記登記情報が示す不動産について作成された地図又は図面を示す作成地図データを取得する手順、
前記作成地図データに基づいて、地図データ記憶手段に記憶されている複数の不動産が示されている地図データを更新する手順、
をコンピュータに実行させることを特徴とするプログラム。
【発明の詳細な説明】
【技術分野】
【０００１】
本発明は、地図データ更新システム、地図データ更新方法及びプログラムに関する。
【背景技術】
【０００２】
特許文献１には、使用者の操作によって決定された表示範囲における地図を画面上に表示する不動産情報表示システムが記載されている。
【先行技術文献】
【特許文献】
【０００３】
【特許文献１】特開２０１５−１３８４１２号公報
【発明の概要】
【発明が解決しようとする課題】
【０００４】
例えば分筆などの登記が行われることによって、不動産の形状や大きさが変化することがある。複数の不動産が示された地図データを管理するにあたって、このような変化が発生した際には、管理対象の地図データに変化を反映させて地図データをメンテナンスすることが望ましい。
【０００５】
しかし、特許文献１に記載されている技術では不動産の変化をとらえることができないため、地図データのメンテナンスに手間がかかっていた。
【０００６】
本発明は上記実情に鑑みてなされたものであって、その目的の一つは、地図データのメンテナンスの手間を軽減できる地図データ更新システム、地図データ更新方法及びプログラムを提供することにある。
【課題を解決するための手段】
【０００７】
上記課題を解決するために、本発明に係る地図データ更新システムは、複数の不動産が示されている地図データを記憶する地図データ記憶手段と、不動産の登記情報を取得する登記情報取得手段と、前記登記情報に示されている登記の際に前記登記情報が示す不動産について作成された地図又は図面を示す作成地図データを取得する作成地図データ取得手段と、前記作成地図データに基づいて、前記地図データ記憶手段に記憶されている前記地図データを更新する地図データ更新手段と、を含む。
【０００８】
本発明の一態様では、前記作成地図データ取得手段は、前記登記情報に示されている最新の登記の際に前記登記情報が示す不動産について作成された地図又は図面を示す作成地図データを取得する。
【０００９】
あるいは、前記作成地図データ取得手段は、前記登記情報に示されている登記の目的が所定の条件を満足する場合に、前記作成地図データを取得する。
【００１０】
あるいは、前記作成地図データ取得手段は、前記登記情報に示されている最新の登記における登記の目的が所定の条件を満足する場合に、当該最新の登記の際に前記登記情報が示す不動産について作成された地図又は図面を示す作成地図データを取得する。
【００１１】
前記作成地図データ取得手段は、前記登記の目的が分筆である場合に、当該分筆の登記の際に前記登記情報が示す不動産について作成された地積測量図を示す前記作成地図データを取得してもよい。
【００１２】
また、前記作成地図データ取得手段は、前記登記の目的が国土調査による成果を伴わない地積の錯誤である場合に、当該錯誤の登記の際に前記登記情報が示す不動産について作成された地積測量図を示す前記作成地図データを取得してもよい。
【００１３】
前記作成地図データ取得手段は、前記地積測量図を示す前記作成地図データが存在しない場合に、前記登記情報が示す不動産について作成された最新の地図又は図面を示す前記作成地図データを取得してもよい。
【００１４】
また、本発明の一態様では、前記地図データ更新手段は、前記登記情報に示されている登記の目的が合筆又は地目変更である場合に、当該登記情報が示す不動産についての前記地図データを更新する。
【００１５】
また、本発明に係る地図データ更新方法は、登記情報取得手段が、不動産の登記情報を取得するステップと、作成地図データ取得手段が、前記登記情報に示されている登記の際に前記登記情報が示す不動産について作成された地図又は図面を示す作成地図データを取得するステップと、地図データ更新手段が、前記作成地図データに基づいて、地図データ記憶手段に記憶されている複数の不動産が示されている地図データを更新するステップと、を含む。
【００１６】
また、本発明に係るプログラムは、不動産の登記情報を取得する手順、前記登記情報に示されている登記の際に前記登記情報が示す不動産について作成された地図又は図面を示す作成地図データを取得する手順、前記作成地図データに基づいて、地図データ記憶手段に記憶されている複数の不動産が示されている地図データを更新する手順、をコンピュータに実行させる。
【図面の簡単な説明】
【００１７】
【図１】本発明の一実施形態に係るコンピュータネットワークの全体構成の一例を示す図である。
【図２】登記情報データの一例を示す図である。
【図３】地番地図画像の一例を示す図である。
【図４】地番地図画像の一例を示す図である。
【図５】本発明の一実施形態に係るサーバで実装される機能の一例を示す機能ブロック図である。
【図６】境界点設定データの一例を示す図である。
【図７】地図種類強度対応データの一例を示す図である。
【図８】ポリゴンデータの一例を示す図である。
【図９】境界点設定データの一例を示す図である。
【図１０】ポリゴンデータの一例を示す図である。
【図１１】ポリゴンデータの一例を示す図である。
【図１２】ポリゴンデータの一例を示す図である。
【図１３】本発明の一実施形態に係るサーバにおいて行われる処理の流れの一例を示すフロー図である。
【図１４】登記情報データの一例を示す図である。
【図１５】登記情報データの一例を示す図である。
【図１６】登記情報データの一例を示す図である。
【図１７】登記情報データの一例を示す図である。
【図１８】登記情報データの一例を示す図である。
【図１９】登記情報データの一例を示す図である。
【発明を実施するための形態】
【００１８】
以下、本発明の一実施形態について図面に基づき詳細に説明する。
【００１９】
図１は、本発明の一実施形態に係るコンピュータネットワーク１６の全体構成の一例を示す図である。図１に示すように、インターネットなどのコンピュータネットワーク１６には、いずれもコンピュータを中心に構成されたサーバ１０、端末１２、登記情報提供サービス１４が接続されている。
【００２０】
図１に示すように、サーバ１０には、プロセッサ１０ａ、記憶部１０ｂ、通信部１０ｃ、出力部１０ｄ、入力部１０ｅが含まれる。
【００２１】
プロセッサ１０ａは、例えばＣＰＵ等のプログラム制御デバイスであって、記憶部１０ｂに記憶されたプログラムに従って各種の情報処理を実行する。
【００２２】
記憶部１０ｂは、例えばＲＯＭやＲＡＭ等の記憶素子やハードディスクドライブなどである。記憶部１０ｂには、プロセッサ１０ａによって実行されるプログラムなどが記憶される。
【００２３】
通信部１０ｃは、例えばコンピュータネットワーク１６を介して端末１２や登記情報提供サービス１４との間でデータを授受するための通信インタフェースである。サーバ１０は、通信部１０ｃを経由して端末１２や登記情報提供サービス１４との間で情報の送受信を行う。
【００２４】
出力部１０ｄは、例えばプロセッサ１０ａから入力される指示に従って情報を表示出力するディスプレイ等の表示部や音声出力するスピーカ等の音声出力部やプリンタ等の印刷出力部等である。
【００２５】
入力部１０ｅは、例えばユーザが行った操作の内容をプロセッサ１０ａに出力するゲームコントローラ、タッチパッド、マウス、キーボード、マイク等である。
【００２６】
図１に示すように、端末１２には、プロセッサ１２ａ、記憶部１２ｂ、通信部１２ｃ、出力部１２ｄ、入力部１２ｅが含まれる。
【００２７】
プロセッサ１２ａは、例えばＣＰＵ等のプログラム制御デバイスであって、記憶部１２ｂに記憶されたプログラムに従って各種の情報処理を実行する。
【００２８】
記憶部１２ｂは、例えばＲＯＭやＲＡＭ等の記憶素子やハードディスクドライブなどである。記憶部１２ｂには、プロセッサ１２ａによって実行されるプログラムなどが記憶される。
【００２９】
通信部１２ｃは、例えばコンピュータネットワーク１６を介してサーバ１０や登記情報提供サービス１４との間でデータを授受するための通信インタフェースである。端末１２は、通信部１２ｃを経由してサーバ１０や登記情報提供サービス１４との間で情報の送受信を行う。
【００３０】
出力部１２ｄは、例えばプロセッサ１２ａから入力される指示に従って情報を表示出力するディスプレイ等の表示部や音声出力するスピーカ等の音声出力部やプリンタ等の印刷出力部等である。
【００３１】
入力部１２ｅは、例えばユーザが行った操作の内容をプロセッサ１２ａに出力するゲームコントローラ、タッチパッド、マウス、キーボード、マイク等である。
【００３２】
登記情報提供サービス１４は、例えば一般財団法人民事法務協会などによる登記情報提供サービスを提供するコンピュータシステムである。登記情報提供サービス１４は、例えばサーバ１０等のコンピュータシステムからの要求に応じて、要求された不動産登記全部事項等の登記情報を当該コンピュータシステムに提供する。
【００３３】
本実施形態に係る登記情報提供サービス１４は、不動産登記全部事項の情報を、例えばＰＤＦ形式のファイルでサーバ１０に提供する。そして本実施形態ではサーバ１０が、当該ファイルに対してテキスト化処理を実行する。そして本実施形態では、テキスト化処理により生成されたテキストの内容に応じた登記情報のデータがサーバ１０に登録される。
【００３４】
図２は、サーバ１０に登録される登記情報のデータ（以下、登記情報データと呼ぶ。）の一例を示す図である。
【００３５】
本実施形態に係る１つの登記情報データは、登記情報提供サービス１４が提供する、１つの不動産についての不動産登記全部事項の情報に対応付けられる。なお、図２には、登記情報データの一部である表題部データが示されている。表題部データは、当該登記情報データに対応する不動産登記全部事項の表題部の記載内容に相当する。なお登記情報データでは、抹消された値に下線が引かれている。
【００３６】
表題部データには、表示種別データ、調製年月日データ、不動産番号データ、地図番号データ、筆界特定データ、所在データ、が含まれる。
【００３７】
表示種別データは、不動産登記全部事項の表題部との記載の右側に括弧書きで記載されている、不動産の種別を示すデータである。調製年月日データ、不動産番号データ、地図番号データ、筆界特定データ、所在データは、それぞれ、不動産登記全部事項の表題部の調製、不動産番号、地図番号、筆界特定、所在の記載内容を示すデータである。
【００３８】
また表題部データには、地番データ、地目データ、地積データ、原因及びその日付［登記の日付］データの組合せが１又は複数含まれる。地番データ、地目データ、地積データ、原因及びその日付［登記の日付］データは、それぞれ、不動産登記全部事項の表題部の地番、地目、地積、原因及びその日付［登記の日付］の記載内容を示すデータである。図２の例では、地番データの値は、（丸囲み数字１）地番と表記されているセルの下に配置されている。また、地目データの値は、（丸囲み数字２）地目と表記されているセルの下に配置されている。また、地積データの値は、（丸囲み数字３）地積と表記されているセルの下に配置されている。また、原因及びその日付［登記の日付］データの値は、原因及びその日付［登記の日付］と表記されているセルの下に配置されている。
【００３９】
図２に示す登記情報データには、Ｘ県Ａ市Ｂ町１２３番４である土地についての不動産登記全部事項の情報が示されている。そして、図２に示す登記情報データには、平成３０年２月３日付けの分筆登記によって、地番がＸ県Ａ市Ｂ町１２３番４である土地が、１２３番４の土地及び１２３番１１の土地に分筆されたことが示されている。
【００４０】
登記情報データには、表題部データの他に、当該登記情報データに対応する不動産登記全部事項の権利部（甲区）の記載内容、権利部（乙区）の記載内容、共同担保目録の記載内容、に相当するデータが含まれることがあるが、図２では省略されている。
【００４１】
また、本実施形態に係る登記情報提供サービス１４は、サーバ１０からの要求に応じて、不動産の地図又は図面を示す作成地図データを提供する。登記情報提供サービス１４からは、例えば、地積測量図、区画整理図面、地籍図、不動産登記法１４条地図、素図、準地図（公図）などを表す作成地図データが提供される。本実施形態に係る作成地図データには、当該作成地図データが表す地図又は図面の種類を示す地図種類データ、及び、当該作成地図データの作成年月日を示す作成年月日データが含まれている。
【００４２】
本実施形態に係る作成地図データはデジタル化されている。そのため、作成地図データに基づいて、当該作成地図データに示されている土地の区画に対応付けられるポリゴンの位置や、当該ポリゴンに含まれる頂点の位置（例えば、緯度及び経度）を特定できるようになっている。
【００４３】
本実施形態に係るサーバ１０では、登記情報提供サービス１４から提供される作成地図データに基づいて生成される、複数の不動産（例えば、複数の土地及び建物）を示す地図データが管理される。そして、端末１２のユーザからの要求に応じて、サーバ１０で管理されている地図データに基づいて生成される地図画像（以下、地番地図画像と呼ぶ。）がサーバ１０から端末１２に送信される。
【００４４】
例えばサーバ１０は、端末１２のユーザによる場所の指定（例えば、緯度及び経度、住所、地番、などの指定）の受付に応じて、指定された場所についての地番地図画像を生成して、生成された地番地図画像を端末１２に送信する。そして端末１２は、サーバ１０から受信した地番地図画像をディスプレイに表示させる。
【００４５】
図３、及び、図４は、それぞれ、図２に示す登記情報データに対応する、地番がＸ県Ａ市Ｂ町１２３番４である土地を含む複数の土地が表された地番地図画像の一例を示す図である。図３に示す地番地図画像は、図２に示されている平成３０年２月３日付けの分筆登記の前の状況を示しており、図４に示す地番地図画像は、図２に示されている平成３０年２月３日付けの分筆登記の後の状況を示している。
【００４６】
例えば、サーバ１０で管理されている地図データに示されている不動産に係る登記が行われて、当該不動産の形状や大きさなどの属性が変化することがある。例えば、上述のように、サーバ１０で管理されている地図データに示されている不動産についての分筆の登記が行われて、一筆の土地が数筆の土地に分割されることがある。
【００４７】
サーバ１０において複数の不動産が示された地図データを管理するにあたって、このように不動産の形状や大きさが変化した際には、手間をかけることなく管理対象の地図データに不動産の変化を反映させて地図データをメンテナンスできることが望ましい。
【００４８】
例えば、上述の例では、平成３０年２月３日付けの分筆登記が行われた際には、表示される地番地図画像が、図３に示すものから、この分筆登記が反映された、図４に示すものになるよう、手間をかけることなく地図データが更新されることが望ましい。
【００４９】
そこで本実施形態では、以下のようにして、地図データのメンテナンスの手間を軽減できるようにした。
【００５０】
図５は、本実施形態に係るサーバ１０で実装される機能の一例を示す機能ブロック図である。なお、本実施形態に係るサーバ１０で、図５に示す機能のすべてが実装される必要はなく、また、図５に示す機能以外の機能が実装されていても構わない。
【００５１】
図５に示すように、本実施形態に係るサーバ１０には、機能的には例えば、登記情報記憶部２０、地図データ記憶部２２、登記情報取得部２４、登記情報更新部２６、判定部２８、作成地図データ取得部３０、地図データ管理部３２、地番地図画像生成部３４、要求受付部３６、データ送信部３８、が含まれる。また、地図データ記憶部２２には、境界点設定データ記憶部２２ａ、地図種類強度対応データ記憶部２２ｂ、ポリゴンデータ記憶部２２ｃ、が含まれる。
【００５２】
登記情報記憶部２０、地図データ記憶部２２は、記憶部１０ｂを主として実装される。登記情報取得部２４、作成地図データ取得部３０、要求受付部３６、データ送信部３８は、通信部１０ｃを主として実装される。登記情報更新部２６、判定部２８、地図データ管理部３２、地番地図画像生成部３４は、プロセッサ１０ａを主として実装される。
【００５３】
以上の機能は、コンピュータであるサーバ１０にインストールされた、以上の機能に対応する指令を含むプログラムをプロセッサ１０ａで実行することにより実装されてもよい。このプログラムは、例えば、光ディスク、磁気ディスク、磁気テープ、光磁気ディスク、フラッシュメモリ等のコンピュータ読み取り可能な情報記憶媒体を介して、あるいは、インターネットなどを介してサーバ１０に供給されてもよい。
【００５４】
登記情報記憶部２０は、本実施形態では例えば、図２に示されている登記情報データなどといった、不動産の登記情報を記憶する。
【００５５】
地図データ記憶部２２は、本実施形態では例えば、複数の不動産が示されている地図データを記憶する。上述のように、地図データ記憶部２２には、境界点設定データ記憶部２２ａ、地図種類強度対応データ記憶部２２ｂ、ポリゴンデータ記憶部２２ｃ、が含まれる。
【００５６】
境界点設定データ記憶部２２ａは、本実施形態では例えば、土地の境界点の位置を示す位置データと、当該境界点が示されている地図又は図面の種類に対応付けられる、当該位置の信憑性の高さを示す強度データと、を含む境界点設定データを記憶する。境界点設定データが示す境界点の位置は、設置された境界標の位置を示すものであってもよいし、境界標が設置されていない境界点の位置を示すものであってもよい。また、本実施形態では、境界点設定データ記憶部２２ａは、互いに異なる複数の境界点についての境界点設定データを記憶する。
【００５７】
図６は、境界点設定データの一例を示す図である。図６に示すように、境界点設定データには、例えば、境界点ＩＤ、設定順序番号、位置データ、設定タイミングデータ、対応地図種類データ、強度データが含まれる。
【００５８】
ある境界点が複数の地図又は図面に表されることがある。そして、それぞれの地図又は図面において示されている当該境界点の位置が異なることがある。例えば、準地図（公図）に表されている境界点について、境界標の設置を伴う地積測量図の作成が行われると、作成された地積測量図には、当該境界点の位置が準地図（公図）よりも正確に表されることとなる。本実施形態ではこのようにして複数回の設定が行われることによって様々な地図又は図面に表れる境界点の位置の履歴を、境界点設定データで管理できるようになっている。
【００５９】
境界点設定データに含まれる境界点ＩＤは、例えば、当該境界点設定データに対応付けられる境界点の識別情報である。本実施形態では、１つの境界点について、当該境界点の設定が行われた回数に相当する数の、当該境界点に対応する共通の境界点ＩＤが設定された境界点設定データが境界点設定データ記憶部２２ａに記憶される。
【００６０】
境界点設定データに含まれる設定順序番号は、例えば、当該境界点設定データに対応付けられる境界点の設定が行われた順序を示す番号である。例えば、ある境界点ＩＤに対応する境界点について、当該境界点が表された地図の作成年月日が古いものから順に、当該境界点ＩＤを含む境界点設定データの設定順序番号が設定される。
【００６１】
境界点に対応付けられる境界点設定データに含まれる位置データは、本実施形態では例えば、当該境界点設定データに対応付けられる地図又は図面において示されている当該境界点の位置を示すデータである。図６の例では、緯度と経度によって位置が表現されているが、境界点の位置が緯度と経度以外によって表現されても構わない。
【００６２】
境界点設定データに含まれる設定タイミングデータは、本実施形態では例えば、当該境界設定データに対応付けられる境界点の設定タイミングを示すデータである。設定タイミングデータは、例えば、当該境界点が表された地図又は図面の作成年月日を示していてもよい。また、不動産登記に伴う地図又は図面の作成が行われた場合に、設定タイミングデータが、当該不動産登記についての登記の日付を示していてもよい。図６の例では、設定タイミングデータには、登記の日付が示されている。
【００６３】
境界点設定データに含まれる対応地図種類データは、本実施形態では例えば、当該境界点設定データに対応付けられる地図又は図面の種類を示すデータである。
【００６４】
境界点設定データに含まれる強度データは、本実施形態では例えば、当該境界点設定データに含まれる位置データが示す境界点の位置の信憑性の高さを示すデータである。本実施形態では例えば、図７に示す地図種類強度対応データにおいて、地図又は図面の種類と境界点の位置の信憑性の高さとが対応付けられている。そして、本実施形態では、地図種類強度対応データに基づいて、強度データの値は決定される。本実施形態では例えば、地図又は図面に対応付けられる強度データの値には、当該地図又は図面に示されている境界点の位置の信憑性が高いほど大きな値が設定されている。
【００６５】
地図種類強度対応データ記憶部２２ｂは、本実施形態では例えば、図７に例示する地図種類強度対応データを記憶する。
【００６６】
図７に示すように、地図種類強度対応データには、地図の種類を示す地図種類データと、当該種類の地図に対応付けられる強度データと、が含まれる。図６に示す境界点設定データでは、図７に示す地図種類強度対応データにおいて当該境界点設定データに含まれる対応地図種類データの値「地積測量図」に対応付けられている「３．０」が強度データの値に設定されている。
【００６７】
サーバ１０の管理者によって、地図種類強度対応データにおいて信憑性が高い地図又は図面であるほど強度データの値が大きくなるよう予め設定されることが望ましい。このようにすることで、ユーザは、強度データの値を参照することで、複数回設定された境界点の位置のそれぞれについての信憑性の高さを容易に比較することが可能となる。
【００６８】
図７に示す地図種類強度対応データの例では、地積測量図の作成においては土地の所有者の思い入れの強い筆界の確認がなされることから、地積測量図に対応付けられる強度データの値が最も大きな「３．０」となっている。
【００６９】
また、区画整理図面の作成においては机上で引いた区画に現地の測量結果を合わせるという筆界の創設が行われることから、区画整理図面に対応付けられる強度データの値は地積測量図の次に大きな「２．５」となっている。
【００７０】
また、地籍図の作成においては地権者の立会いが行われることから、地籍図に対応付けられる強度データの値は区画整理図面の次に大きな「２．０」となっている。
【００７１】
また、１４条地図は、現地復元性を持ち合わせていることから、１４条地図に対応付けられる強度データの値は地籍図と同じ「２．０」となっている。
【００７２】
また、素図は、地権者の立会いを前提にある程度の根拠に基づき専門家によって作成されるものであり閲覧には耐えられるものの筆界の根拠が不十分である。このことから、素図に対応付けられる強度データの値は地籍図や１４条地図の次に大きな「１．０」となっている。
【００７３】
準地図（公図）や地番図については、精度にばらつきがあるため、準地図（公図）や地番図に対応付けられる強度データの値は最も小さな「０．０」となっている。
【００７４】
なお、図７に示す強度データの値はあくまでも一例であり、図７に示す値とは異なる値が、強度データの値に設定されても構わない。
【００７５】
ポリゴンデータ記憶部２２ｃは、本実施形態では例えば、図８に例示するポリゴンデータを記憶する。
【００７６】
本実施形態に係るポリゴンデータは、複数の境界点設定データに位置がそれぞれ示されている複数の境界点を頂点として含むポリゴンを表すデータである。ポリゴンデータは、土地の区画のポリゴンに対応付けられる。図８に示すように、本実施形態に係るポリゴンデータには、例えば、ポリゴンＩＤ、物件特定データ、境界点ＩＤ群データ、地目データ、発生時点データ、消滅時点データが含まれる。
【００７７】
ポリゴンデータに含まれるポリゴンＩＤは、例えば、当該ポリゴンデータに対応付けられるポリゴンの識別情報である。
【００７８】
ポリゴンデータに含まれる物件特定データは、例えば、当該ポリゴンデータに対応付けられるポリゴンが表す土地等の不動産を特定するためのデータである。ポリゴンデータの物件特定データには、都道府県名データ、市区町村名データ、大字名町名データ、字名丁目データ、地番家屋番号データが含まれる。
【００７９】
都道府県名データは、当該ポリゴンデータに対応付けられるポリゴンが表す不動産の都道府県名を示すデータである。市区町村名データは、当該ポリゴンデータに対応付けられるポリゴンが表す不動産の市区町村名を示すデータである。大字名町名データは、当該ポリゴンデータに対応付けられるポリゴンが表す不動産の大字名又は町名を示すデータである。字名丁目データは、当該ポリゴンデータに対応付けられるポリゴンが表す不動産の字名又は丁目を示すデータである。地番家屋番号データは、当該ポリゴンデータに対応付けられるポリゴンが表す不動産の地番又は家屋番号を示すデータである。なお、ポリゴンデータに含まれる地番家屋番号データに示されているハイフンは、登記情報データに含まれる地番データに示されている「番」という文字に対応する。
【００８０】
ポリゴンデータに含まれる境界点ＩＤ群データは、例えば、上述の境界点ＩＤの順序付き配列を示すデータである。本実施形態に係るポリゴンデータは、境界点ＩＤ群データに含まれる複数の境界点ＩＤにそれぞれ対応付けられる点が頂点であるポリゴンに対応付けられる。
【００８１】
本実施形態では、共通の境界点ＩＤを含む複数の境界点設定データが境界点設定データ記憶部２２ａに記憶されることがある。これら複数の境界点設定データのうちからポリゴンの頂点の位置を示すものを特定するために、図８に示す境界点ＩＤ群データには、境界点ＩＤに後続する括弧内に設定順序番号が示されている。
【００８２】
例えば、図８に示すポリゴンデータに対応付けられるポリゴンに含まれる１つ目の頂点の位置は、境界点ＩＤが１１１であり設定順序番号が３である境界点設定データ（すなわち、図６に示す境界点設定データ）に含まれる位置データが示す位置となる。また、２つ目の頂点の位置は、境界点ＩＤが１１２であり設定順序番号が３である境界点設定データに含まれる位置データが示す位置となる。また、３つ目の頂点の位置は、境界点ＩＤが１１３であり設定順序番号が３である境界点設定データに含まれる位置データが示す位置となる。４つ目の頂点の位置は、境界点ＩＤが１１４であり設定順序番号が５である境界点設定データに含まれる位置データが示す位置となる。
【００８３】
ポリゴンデータに含まれる地目データは、当該ポリゴンデータに対応付けられる土地の地目を示すデータである。
【００８４】
ポリゴンデータに含まれる発生時点データは、当該ポリゴンデータが示すポリゴンの発生時点を示すデータである。
【００８５】
ポリゴンデータに含まれる消滅時点データは、当該ポリゴンデータが示すポリゴンの消滅時点を示すデータである。なお、本実施形態では例えば、現況を表すポリゴンについては、当該ポリゴンに対応するポリゴンデータの消滅時点データの値に空（Ｎｕｌｌ）（図８ではハイフンで表現されている）が設定される。
【００８６】
登記情報取得部２４は、本実施形態では例えば、不動産の登記情報を取得する。登記情報取得部２４は、例えば、登記情報提供サービス１４に、都道府県名を含む地番に関連付けられた登記情報の送信要求を送信する。すると、登記情報提供サービス１４は、当該送信要求の受信に応じて、当該送信要求に関連付けられた地番の不動産登記全部事項の情報のファイルをサーバ１０に送信する。
【００８７】
ここで例えば、特開２０１７−２２８１２３号公報に記載されている技術を用いて、サーバ１０が、コンピュータネットワーク１６を介して接続された登記申請情報データ提供システムから登記申請情報のデータを取得してもよい。ここで、登記申請情報データ提供システムに登録されている登記申請情報のデータは、法務局で管理されている不動産登記受付帳の記載内容に相当するデータである。そして、サーバ１０が、取得した登記申請情報のデータに基づいて、不動産登記全部事項が更新された不動産の、都道府県名を含む地番を特定してもよい。そして、登記情報取得部２４が、不動産登記全部事項が更新されたことが特定された不動産についての不動産登記全部事項の情報のファイルを登記情報提供サービス１４から取得してもよい。なお、特開２０１７−２２８１２３号公報に記載されているように、登記申請情報のデータにおける地番又は家屋番号に示されているハイフンは、上述のポリゴンデータと同様、登記情報データに含まれる地番データに示されている「番」という文字に対応する。
【００８８】
登記情報更新部２６は、本実施形態では例えば、登記情報取得部２４により取得される登記情報に基づいて、登記情報記憶部２０に記憶されている登記情報を更新する。登記情報更新部２６は例えば、登記情報取得部２４が受信した不動産登記全部事項の情報のファイルに対してテキスト化処理を実行する。そして登記情報更新部２６は、例えば、テキスト化処理により生成されたテキストの内容を登記情報データの値に反映させることにより、登記情報データを更新する。
【００８９】
判定部２８は、本実施形態では例えば、登記情報取得部２４が取得する登記情報に示されている登記の目的が、作成地図データを取得するための所定の条件を満足するか否かを判定する。以下、作成地図データを取得するための所定の条件を取得条件と呼ぶこととする。ここで判定部２８は、登記情報に示されている最新の登記における登記の目的が取得条件を満足するか否かを判定してもよい。
【００９０】
取得条件としては、例えば、登記情報取得部２４が取得する登記情報に示されている登記の目的（例えば最新の登記における登記の目的）が分筆であることなどが挙げられる。例えば、図２に示す登記情報データでは、最新の登記（平成３０年２月３日付けの登記）を示す、原因及びその日付［登記の日付］データが示す文字列に「に分筆」が含まれている。この場合は、当該登記の目的が分筆である（すなわち、取得条件を満足する）と判定されてもよい。なお、取得条件の他の例については後述する。
【００９１】
作成地図データ取得部３０は、本実施形態では例えば、登記情報取得部２４が取得する登記情報に示されている登記の際に当該登記情報が示す不動産について作成された地図又は図面を示す作成地図データを取得する。作成地図データ取得部３０は、本実施形態では例えば、登記情報提供サービス１４から作成地図データを取得する。ここで、登記情報に示されている最新の登記の際に当該登記情報が示す不動産について作成された地図又は図面を示す作成地図データが取得されるようにしてもよい。
【００９２】
また、登記情報に示されている登記の目的（例えば、最新の登記における登記の目的）が取得条件を満足する場合に、当該登記の際に当該登記情報が示す不動産について作成された地図又は図面を示す作成地図データが取得されるようにしてもよい。
【００９３】
また、登記情報に示されている登記の目的（例えば、最新の登記における登記の目的）が分筆である場合に、当該分筆の登記の際に当該登記情報が示す不動産について作成された地積測量図を示す作成地図データが取得されるようにしてもよい。
【００９４】
地図データ管理部３２は、本実施形態では例えば、作成地図データ取得部３０が取得する作成地図データに基づいて、地図データ記憶部２２に記憶されている地図データを更新する。
【００９５】
例えば、上述のように、図２に示す登記情報データに基づいて、平成３０年２月３日付けの登記における登記の目的が分筆であると判定されたとする。この場合、作成地図データ取得部３０は、この不動産についての都道府県名を含む地番、及び、当該登記の日付に関連付けられた、地積測量図の作成地図データの送信要求を登記情報提供サービス１４に送信する。例えば、Ｘ県Ａ市Ｂ町１２３番４の土地と、Ｘ県Ａ市Ｂ町１２３番１１の土地についての、平成３０年２月３日までの所定期間に作成された地積測量図の作成地図データの送信要求が登記情報提供サービス１４に送信される。
【００９６】
すると、登記情報提供サービス１４は、当該送信要求の受信に応じて、当該送信要求に関連付けられた地番に対応する不動産について、当該送信要求に関連付けられた登記の日付までの所定期間に作成された地積測量図を示す作成地図データをサーバ１０に送信する。すると、サーバ１０の作成地図データ取得部３０は、送信された作成地図データを受信する。ここでは例えばＸ県Ａ市Ｂ町１２３番４の土地と、Ｘ県Ａ市Ｂ町１２３番１１の土地についての、平成３０年２月３日までの所定期間に作成された地積測量図の作成地図データが送信される。ここで、１の地積測量図についての作成地図データが送信されてもよいし、複数の地積測量図についての作成地図データが送信されてもよい。
【００９７】
すると、地図データ管理部３２は、登記情報提供サービス１４から受信した作成地図データに基づいて、新たな境界点設定データの生成、ポリゴンデータの更新、及び、新たなポリゴンデータの生成を実行する。
【００９８】
例えば、地図データ管理部３２は、受信した作成地図データに示されている複数の境界点の位置を特定する。
【００９９】
そして、地図データ管理部３２は、これらの境界点のそれぞれについて、境界点に対応する境界点設定データを生成する。そして、地図データ管理部３２は、生成された境界点設定データを境界点設定データ記憶部２２ａに記憶させる。
【０１００】
ここで例えば、地図データ管理部３２は、作成地図データに示されている境界点の位置（以下、着目位置と呼ぶ。）から所定の距離以内である位置を示す位置データを含む境界点設定データを特定してもよい。そして、地図データ管理部３２は、特定される境界点設定データの境界点ＩＤと同じ境界点ＩＤを含む新たな境界点設定データを生成してもよい。この場合、生成される境界点設定データの設定順序番号には、当該境界点ＩＤを含む境界点設定データにおける最大の設定順序番号の次の番号が設定される。
【０１０１】
ここで、着目位置から所定の距離以内である位置を示す位置データを含む境界点設定デ
ータが存在しない場合は、地図データ管理部３２は、新たな境界点ＩＤを含む新たな境界点設定データを生成してもよい。この場合、生成される境界点設定データの設定順序番号には、１が設定される。
【０１０２】
新たに生成される境界点設定データの位置データの値には、例えば、着目位置が設定される。生成される境界点設定データの設定タイミングデータの値には、例えば、受信した作成地図データに含まれる作成年月日データの値、あるいは、当該登記の日付が設定される。また、生成される境界点設定データの対応地図種類データの値には、例えば、受信した作成地図データに含まれる地図種類データの値が設定される。また、生成される境界点設定データの強度データの値には、例えば、地図種類強度対応データにおいて当該地図種類データの値に対応付けられている強度データの値が設定される。
【０１０３】
例えば、図２に示す登記情報データに対応する作成地図データに基づいて、境界点ＩＤが１１１、１１２、１１３、１１４である新たな境界点設定データが生成される。この場合、境界点ＩＤが１１１、１１２、１１３、１１４である新たな境界点設定データの設定順序番号は、それぞれ、４、４、４、６となる。
【０１０４】
図９は、このようにして生成される境界点ＩＤが１１１である新たな境界点設定データの一例を示す図である。図９に示す境界点設定データの設定順序番号には、図６に示す境界点設定データの設定順序番号の次の番号である４が設定される。また、図９に示す境界点設定データの位置データには、上述のようにして取得された地積測量図の作成地図データに示されている当該境界点の位置が設定される。また、図９に示す境界点設定データの設定タイミングデータには、登記の日付である平成３０年２月３日（２０１８／２／３）が設定される。図９に示す境界点設定データの対応地図種類データの値には「地積測量図」が設定され、強度データの値には「３．０」が設定される。
【０１０５】
またこのとき、当該作成地図データに基づいて、境界点ＩＤがそれぞれ１１５、１１６である、新たな境界点ＩＤを含む新たな境界点設定データが生成される。この場合、境界点ＩＤが１１５、１１６である新たな境界点設定データの設定順序番号は、ともに１となる。
【０１０６】
また、地図データ管理部３２は、本実施形態では例えば、新たな境界点設定データに位置が示されている境界点を頂点として含むポリゴンを表すポリゴンデータを生成する。ここで例えば、作成地図データ取得部３０が取得した作成地図データに示されているポリゴンを特定してもよい。そして、特定されるポリゴンに対応するポリゴンデータが生成されてもよい。
【０１０７】
例えば、上述のように、図２に示す登記情報データには、平成３０年２月３日付けの分筆登記によって、地番がＸ県Ａ市Ｂ町１２３番４である土地が、１２３番４の土地及び１２３番１１の土地に分筆されたことが示されている。このことに基づき、例えば、取得された地積測量図を示す作成地図データに基づいて、Ｘ県Ａ市Ｂ町１２３番４の土地及び１２３番１１の土地の区画にそれぞれ対応する、図１０及び図１１に示すポリゴンデータが生成されてもよい。ここでは例えば、図１０に示すように、境界点ＩＤ群データの値が、「１１１（４）、１１２（４）、１１５（１）、１１６（１）」である、Ｘ県Ａ市Ｂ町１２３番４の土地に対応するポリゴンデータが生成されている。当該境界点ＩＤ群データに含まれている値「１１１（４）」は、図９の境界点設定データに対応する境界点に相当する。
【０１０８】
また、図１１に示すように、境界点ＩＤ群データの値が、「１１３（４）、１１４（６）、１１６（１）、１１５（１）」である、Ｘ県Ａ市Ｂ町１２３番１１の土地に対応するポリゴンデータが生成されている。
【０１０９】
またこれらのポリゴンデータの発生時点データの値には、例えば、受信した作成地図データに含まれる作成年月日データの値、あるいは、当該作成地図データに対応する登記の日付が設定される。図１０及び図１１の例では、発生時点データの値に登記の日付である平成３０年２月３日（２０１８／２／３）が設定されている。
【０１１０】
また、このとき、分筆前のＸ県Ａ市Ｂ町１２３番４の土地に対応するポリゴンデータについては更新されて、図１２に示すように、消滅時点データの値が設定される。消滅時点データの値には、例えば、受信した作成地図データに含まれる作成年月日データの値、あるいは、当該作成地図データに対応する登記の日付が設定される。例えば、図１０及び図１１に示す新たなポリゴンデータの発生時点データの値と同じ値である平成３０年２月３日（２０１８／２／３）が図１２に示すポリゴンデータの消滅時点データの値に設定される。
【０１１１】
地番地図画像生成部３４は、本実施形態では例えば、ポリゴンデータ及び境界点設定データに基づいて、図３及び図４に例示する地番地図画像のような地図画像を生成する。地番地図画像には、地番と土地の区画との対応が示されている。
【０１１２】
例えば図３において地番が１２３−４と示されている四角形のポリゴンが、図８あるいは図１２に示されているポリゴンデータに相当するポリゴンである。図３には、平成３０年２月３日付けの分筆登記の前の状況が示されている。
【０１１３】
また例えば、図４において地番が１２３−４と示されている四角形のポリゴンが、図１０に示されているポリゴンデータに相当するポリゴンである。また、図４において地番が１２３−１１と示されている四角形のポリゴンが、図１１に示されているポリゴンデータに相当するポリゴンである。図４には、平成３０年２月３日付けの分筆登記の後の状況が示されている。
【０１１４】
要求受付部３６は、本実施形態では例えば、端末１２のユーザからの要求を受け付ける。
【０１１５】
データ送信部３８は、本実施形態では例えば、要求受付部３６が受け付ける要求に応じたデータを端末１２に送信する。
【０１１６】
ここで例えば、要求受付部３６が、端末１２のユーザによる場所の指定（例えば、緯度及び経度、住所、地番、などの指定）を受け付けたとする。この場合、地番地図画像生成部３４が、指定された場所の地番地図画像を生成してもよい。そして、データ送信部３８が、生成された地番地図画像を端末１２に送信してもよい。そして、端末１２が送信された地番地図画像をディスプレイに表示させてもよい。
【０１１７】
また例えば、要求受付部３６が、地番地図画像に示されている地番に関連付けられた登記情報の送信要求を受け付けたとする。この場合、データ送信部３８が、当該地番の登記情報を端末１２に送信してもよい。
【０１１８】
また、要求受付部３６が、地番地図画像に示されているポリゴンに含まれる頂点の指定を受け付けたとする。この場合、データ送信部３８が、指定された頂点に対応する境界点の設定履歴を示す複数の境界点設定データを端末１２に送信してもよい。また、データ送信部３８が、複数の境界点設定データのそれぞれに対応付けられた地図又は図面を示す地図データを端末１２に送信してもよい。そして、境界点設定データの値や地図データが示す地図又は図面が端末１２で表示されてもよい。
【０１１９】
以下、本実施形態に係るサーバ１０において行われる、所与の登記情報データに基づいて実行される処理の流れの一例を、図１３に例示するフロー図を参照しながら説明する。
【０１２０】
まず、判定部２８が、所与の登記情報データが取得条件を満足するか否かを判定する（Ｓ１０１）。
【０１２１】
取得条件を満足しないと判定された場合は（Ｓ１０１：Ｎ）、本処理例に示す処理は終了される。
【０１２２】
取得条件を満足すると判定された場合は（Ｓ１０１：Ｙ）、作成地図データ取得部３０が、所与の登記情報データに示されている登記の際に作成された不動産の地図又は図面を示す作成地図データを登記情報提供サービス１４から取得する（Ｓ１０２）。
【０１２３】
そして、地図データ管理部３２が、Ｓ１０２に示す処理で取得された作成地図データに基づいて、複数の境界点設定データを生成する（Ｓ１０３）。
【０１２４】
そして、地図データ管理部３２が、Ｓ１０２に示す処理で取得された作成地図データに基づいて、１又は複数のポリゴンデータの生成、及び、１又は複数のポリゴンデータの更新を実行して（Ｓ１０４）、本処理例に示す処理は終了される。
【０１２５】
図１４は、登記情報データの別の一例を示す図である。図１４に示す登記情報データでは、最新の登記（平成２８年７月６日付けの登記）において、Ｘ県Ａ市Ｂ町２３４番１の土地が、Ｘ県Ａ市Ｂ町２３４番１、２３４番１７ないし２３４番３３に分筆されたことが示されている。この場合は、Ｘ県Ａ市Ｂ町１２３番１の土地と、Ｘ県Ａ市Ｂ町１２３番１７〜３３の土地（１８筆の土地）についての、平成２８年７月６日までの所定期間に作成された地積測量図の作成地図データが取得されることとなる。この場合、上述のように、１の地積測量図についての作成地図データが取得されてもよいし、複数の地積測量図についての作成地図データが取得されてもよい。
【０１２６】
図１５は、登記情報データのさらに別の一例を示す図である。図１５に示す登記情報データでは、最新の登記（令和１年８月６日付けの登記）において、Ｘ県Ａ市Ｂ町３４５番の土地が、Ｘ県Ａ市Ｂ町３４５番１の土地、及び、Ｘ県Ａ市Ｂ町３４５番２の土地に分筆（本番分筆）されたことが示されている。この場合は、Ｘ県Ａ市Ｂ町３４５番１の土地と、Ｘ県Ａ市Ｂ町３４５番２の土地についての、令和１年８月６日までの所定期間に作成された地積測量図の作成地図データが取得されることとなる。この場合、地番家屋番号データの値がそれぞれ「３４５−１」、「３４５−２」である、２つのポリゴンデータが新たに生成されることとなる。そして、地番家屋番号データの値が「３４５」であるポリゴンデータについては、消滅時点データの値（２０１９／８／６）が設定されることとなる。
【０１２７】
図１６は、登記情報データのさらに別の一例を示す図である。図１６に示す登記情報データでは、最新の登記（平成３０年２月３日付けの登記）を示す、原因及びその日付［登記の日付］データが示す文字列に「から分筆」が含まれている。図１７は、登記情報データのさらに別の一例を示す図である。図１７に示す登記情報データでは、最新の登記（令和１年８月６日付けの登記）を示す、原因及びその日付［登記の日付］データが示す文字列に「から分筆」が含まれている。これらの場合についても、原因及びその日付［登記の日付］データが示す文字列に「に分筆」が含まれている場合と同様に、当該登記の目的が分筆である（すなわち、取得条件を満足する）と判定部２８によって判定されるようにしてもよい。
【０１２８】
また、図２に示す登記情報データの代わりに図１６に示す登記情報データに基づいて、図９に示す境界点設定データ、及び、図１０及び図１１に示すポリゴンデータが生成されてもよい。また、図１５に示す登記情報データの代わりに図１７に示す登記情報データに基づいて、境界点設定データの生成や、ポリゴンデータの生成及び更新が実行されてもよい。
【０１２９】
図１８は、登記情報データのさらに別の一例を示す図である。図１８に示す登記情報データでは、最新の登記（平成５年７月６日付けの登記）を示す、原因及びその日付［登記の日付］データが示す文字列に「による成果」が含まれている。この場合に、当該登記の目的が取得条件を満足すると判定部２８によって判定されるようにしてもよい。
【０１３０】
なお、図１８には平成５年７月６日付けでの分筆が行われていることが示されているが、地積測量図は作成されず、国土調査の成果たる地籍図が作成される。そのためこの場合は、作成地図データ取得部３０は、登記情報提供サービス１４に、当該登記情報に対応する、都道府県名を含む地番に関連付けられた最新の作成地図データの送信要求を要求してもよい。そして、登記情報提供サービス１４は、当該送信要求の受信に応じて、当該送信要求に関連付けられた地番に対応する不動産についての最新の作成地図データ（この場合は地籍図を示す作成地図データ）をサーバ１０に送信してもよい。そして、地図データ管理部３２は、地籍図を示す作成地図データに基づいて、地図データ記憶部２２に記憶されている地図データを更新してもよい。
【０１３１】
なお、原因及びその日付［登記の日付］データが示す文字列に「地籍調査による成果」が含まれる場合も「による成果」が含まれている。そのためこの場合も同様に、当該登記の目的が取得条件を満足すると判定部２８によって判定されるようにしてもよい。そして、当該登記情報データに対応する不動産についての最新の作成地図データに基づいて、地図データが更新されるようにしてもよい。
【０１３２】
登記情報データに含まれる原因及びその日付［登記の日付］データが示す文字列に、「地図作成」、「都市再開発法による権利変換日」、又は、「換地処分」、が含まれることがある。これらの場合も同様に、当該登記の目的が取得条件を満足すると判定部２８によって判定されるようにしてもよい。そして、当該登記情報データに対応する不動産についての最新の作成地図データに基づいて、地図データが更新されてもよい。
【０１３３】
また、例えば、原因及びその日付［登記の日付］データが示す文字列に「（丸囲み数字３）錯誤」が含まれ、「による成果」が含まれない場合は、取得条件を満足すると判定部２８によって判定されてもよい。そしてこの場合、作成地図データ取得部３０は、登記情報提供サービス１４から、当該登記情報に対応する地積測量図を示す作成地図データを取得してもよい。そして、地籍測量図を示す作成地図データに基づいて、地図データが更新されてもよい。このように、作成地図データ取得部３０は、登記情報が示す登記の目的が国土調査による成果を伴わない地積の錯誤である場合に、当該錯誤の登記の際に当該登記情報が示す不動産について作成された地積測量図を示す作成地図データを取得してもよい。
【０１３４】
上述のように、登記の際に地積測量図が作成されることもあれば作成されないこともある。このことを踏まえて、作成地図データ取得部３０は、地積測量図を示す作成地図データが存在しない場合に、登記情報が示す不動産について作成された最新の地図又は図面を示す作成地図データを取得するようにしてもよい。
【０１３５】
例えば、作成地図データ取得部３０が、登記情報データに対応する不動産についての都道府県名を含む地番、及び、当該登記の日付に関連付けられた地積測量図の作成地図データの送信要求を登記情報提供サービス１４に送信したとする。そして、登記情報提供サービス１４が、このような地積測量図の作成地図データが存在しないことをサーバ１０に返信したとする。
【０１３６】
この場合、作成地図データ取得部３０は、登記情報提供サービス１４に、当該登記情報データに対応する、都道府県名を含む地番に関連付けられた最新の作成地図データの送信要求を要求してもよい。そして、登記情報提供サービス１４は、当該送信要求の受信に応じて、当該送信要求に関連付けられた地番に対応する不動産についての最新の作成地図データをサーバ１０に送信してもよい。そして、地図データ管理部３２は、当該最新の作成地図データに基づいて、地図データ記憶部２２に記憶されている地図データを更新してもよい。
【０１３７】
また本実施形態において、地図データ管理部３２が、登記情報に示されている登記の目的が合筆又は地目変更である場合に、当該登記情報が示す不動産についての地図データを更新してもよい。
【０１３８】
この場合、例えば、判定部２８が、登記情報取得部２４が取得する登記情報に示されている登記の目的が、地図データ記憶部２２に記憶されている地図データを更新するための所定の条件を満足するか否かを判定してもよい。以下、地図データ記憶部２２に記憶されている地図データを更新するための所定の条件を更新条件と呼ぶこととする。ここで判定部２８は、登記情報に示されている最新の登記における登記の目的が更新条件を満足するか否かを判定してもよい。
【０１３９】
更新条件としては、例えば、登記情報取得部２４が取得する登記情報に示されている登記の目的（例えば最新の登記における登記の目的）が合筆であることなどが挙げられる。例えば、図１９に示す登記情報データでは、最新の登記（令和２年１月７日付けの登記）を示す、原因及びその日付［登記の日付］データが示す文字列に「を合筆」が含まれている。この場合は、当該登記の目的が合筆である（すなわち、更新条件を満足する）と判定されてもよい。
【０１４０】
そしてこの場合、地図データ管理部３２が、ポリゴンデータ記憶部２２ｃに記憶されているポリゴンデータを更新してもよい。図１９の例では、Ｘ県Ａ市Ｂ町４５６番７の地番に対応するポリゴンデータが示すポリゴンと、Ｘ県Ａ市Ｂ町４５６番８の地番に対応するポリゴンデータが示すポリゴンと、を結合したポリゴンを示すポリゴンデータが生成されてもよい。この場合、Ｘ県Ａ市Ｂ町４５６番７の地番に対応するポリゴンの境界点とＸ県Ａ市Ｂ町４５６番８の地番に対応するポリゴンの境界点を境界点として含むポリゴンデータが生成されることとなる。なおこの場合は、作成地図データの取得は行われない。
【０１４１】
また、他の更新条件としては、例えば、登記情報取得部２４が取得する登記情報に示されている登記の目的（例えば最新の登記における登記の目的）が地目変更であることが挙げられる。
【０１４２】
例えば、最新の登記を示す原因及びその日付［登記の日付］データが示す文字列に「地目変更」が含まれている場合は、当該登記の目的が地目変更である（すなわち、更新条件を満足する）と判定されてもよい。また、最新の登記を示す原因及びその日付［登記の日付］データが示す文字列に「（丸囲み数字２）錯誤」が含まれており地積の変更に関する文字列が含まれていない場合に、当該登記の目的が地目変更である（すなわち、更新条件を満足する）と判定されてもよい。
【０１４３】
そしてこれらの場合に、地図データ管理部３２が、当該登記情報データに基づいて、ポリゴンデータ記憶部２２ｃに記憶されている、当該登記に対応する不動産を示すポリゴンデータの地目データの値を更新してもよい。
【０１４４】
なお、本実施形態において、ポリゴンデータの更新や地番地図画像の更新が行われる際に、ポリゴンに対するアフィン変換等の幾何変換が行われても構わない。
【０１４５】
登記情報だけからは、土地の形状や大きさにどのような変化があったかを特定することができない。そこで本実施形態では、上述のように、取得条件を満足する登記情報に基づいて、当該登記情報に示されている登記の際に当該登記情報が示す不動産について作成された地図又は図面を示す作成地図データが取得されるようにした。そして、取得された作成地図データに基づいて、地図データ記憶部２２に記憶されている地図データが更新されるようにした。そのため本実施形態では、不動産の形状や大きさの変化を的確にとらえ、その変化を地図データ記憶部２２に記憶されている地図データに反映させることができる。その結果、本実施形態によれば、地図データ記憶部２２に記憶されている地図データのメンテナンスの手間を軽減できることとなる。
【０１４６】
なお、本発明は上述の実施形態に限定されるものではない。
【０１４７】
例えば、複数の境界点設定データは、単一のサーバ１０で管理されるデータではなく、ブロックチェーンで管理（互いにＰ２Ｐ接続された複数のコンピュータで共有管理）されるデータであってもよい。ポリゴンデータについても、単一のサーバ１０で管理されるデータではなく、ブロックチェーンで管理されるデータであってもよい。
【０１４８】
また上述の具体的な文字列や数値、並びに、図面中の具体的な文字列は例示であり、これらの文字列や数値には限定されない。
【符号の説明】
【０１４９】
１０  サーバ、１０ａ  プロセッサ、１０ｂ  記憶部、１０ｃ  通信部、１０ｄ  出力部、１０ｅ  入力部、１２  端末、１２ａ  プロセッサ、１２ｂ  記憶部、１２ｃ  通信部、１２ｄ  出力部、１２ｅ  入力部、１４  登記情報提供サービス、１６  コンピュータネットワーク、２０  登記情報記憶部、２２  地図データ記憶部、２２ａ  境界点設定データ記憶部、２２ｂ  地図種類強度対応データ記憶部、２２ｃ  ポリゴンデータ記憶部、２４  登記情報取得部、２６  登記情報更新部、２８  判定部、３０  作成地図データ取得部、３２  地図データ管理部、３４  地番地図画像生成部、３６  要求受付部、３８  データ送信部。
【図１】
2020122993.tif 000003
【図２】
2020122993.tif 000004
【図３】
2020122993.tif 000005
【図４】
2020122993.tif 000006
【図５】
2020122993.tif 000007
【図６】
2020122993.tif 000008
【図７】
2020122993.tif 000009
【図８】
2020122993.tif 000010
【図９】
2020122993.tif 000011
【図１０】
2020122993.tif 000012
【図１１】
2020122993.tif 000013
【図１２】
2020122993.tif 000014
【図１３】
2020122993.tif 000015
【図１４】
2020122993.tif 000016
【図１５】
2020122993.tif 000017
【図１６】
2020122993.tif 000018
【図１７】
2020122993.tif 000019
【図１８】
2020122993.tif 000020
【図１９】
2020122993.tif 000021